(57)【要約】【課題】ハンカチーフを使用したときに、ハンカチーフの未使用面を手早く外側に露出させることができるハンカチーフの提供を課題とする。【解決手段】ハンカチーフ１０は、同一の長方形（正方形を含む）の形状を有するハンカチーフ片１〜４によって構成されている。各ハンカチーフ片１〜４は吸水性を有する布によって構成されている。ハンカチーフ片１〜４は、それぞれの各辺が一致するように重ね合わせた状態で、重ね合わされた４辺のうちの一辺のみが相互に固定されている。この固定されている一辺（綴じ辺部１１）を中心としてハンカチーフ片を折り返すことによって未使用面を外側に露出させてハンカチーフ１０を使用する。【選択図】図１
0003231520.tif 000002
【実用新案登録請求の範囲】
【請求項１】
吸水性を有する布によって構成された同一の長方形（正方形を含む）の形状の複数枚のハンカチーフ片からなるハンカチーフであって、
前記複数枚のハンカチーフ片のそれぞれの各辺が一致するように重ね合わせた状態で、当該重ね合わされた４辺のうちの一辺のみが相互に固定されている綴じ辺部が形成されていることを特徴とするハンカチーフ。
【請求項２】
前記複数枚のハンカチーフ片のそれぞれには、異なる図柄（意匠）が施されていることを特徴とする請求項１に記載のハンカチーフ。
【請求項３】
前記複数枚のハンカチーフ片のそれぞれには、異なる図柄（意匠）が施され、且つ当該図柄（意匠）は１枚の前記ハンカチーフ片の表面側と裏面側とでも異なる図柄（意匠）であることを特徴とする請求項１に記載のハンカチーフ。
【請求項４】
前記長方形（正方形を含む）の形状の前記ハンカチーフ片の長辺と短辺の長さは、共に７．５ｃｍ〜１７．５ｃｍの範囲内の値に選ばれていることを特徴とする請求項１ないし請求項３のいずれかの項に記載のハンカチーフ。
【考案の詳細な説明】
【技術分野】
【０００１】
本考案は、既に使用した面から手早く未使用の面を露出させて使用することができるハンカチーフに関するものである。
【背景技術】
【０００２】
近年の感染症への予防意識の高まりから、手が触れる所に対するアルコール消毒や手洗いが頻繁に行われるようになってきた。
【０００３】
また、公共の場所で手を洗う場合、水栓を開いて水を出して手を洗い、その後に水栓を閉めて水を止めるときに、洗った後の手で水栓に直接触れることを厭う人々も増加している。
【０００４】
そのような人々が公共の場所で手を洗う場合には、図１６（ａ）〜（ｃ）に示したように水栓Ｗを開いて水を出して手Ｈを洗い、図１７（ｄ），（ｅ）に示したように水栓Ｗと手Ｈとの間にハンカチーフ２０を介在させて水栓Ｗを閉めて水を止めている。
【０００５】
そして、図１８（ｆ）に示したように、ハンカチーフ２０を広げて水栓Ｗや手Ｈに触れた面（既使用面）を露出させて、図１８（ｇ）に示したように、その既使用面が内側になるようにハンカチーフ２０を折り畳んで未使用面を外側に露出させて、図１８（ｈ）に示したように、外側に露出させたハンカチーフ２０の未使用面で濡れた手Ｈを拭いている。図面では、既使用面を黒塗りで示してある。
【０００６】
その後、図１９（ｉ）〜（ｋ）に示したように、ハンカチーフ２０を広げて以上の一連の行為で使用したハンカチーフ２０の既使用面を全て露出させ、さらにハンカチーフ２０を図２０（ｌ）に示したように広げる。次に、図２０（ｌ）で示した既使用面が内側になるように、図２０（ｍ）に示したように、ハンカチーフ２０を折り畳み、さらにハンカチーフ２０を図２０（ｎ），（ｏ）に示したように折り畳んで、ハンカチーフ２０の未使用面を外側に露出させた状態でハンカチーフ２０を衣服のポケットやハンドバッグ等に収納している。
【０００７】
ここで、現在一般に販売されているハンカチーフ２０は、図２１（ａ），（ｂ）に示したように、吸水性を有する正方形の布によって構成されており、その正方形の布には何らかの図柄（意匠）が染色されていることが多い。図２１（ａ）はハンカチーフ２０の表面側２０ａの構成を示し、図２１（ｂ）はハンカチーフ２０の裏面側２０ｂの構成を示したものである。
【０００８】
通常、ハンカチーフ２０の使用者は、図２２（ａ）〜（ｅ）に示したように、ハンカチーフ２０の表面側２０ａが外側になるように、ハンカチーフ２０の一辺がＡｃｍである場合には、一辺がＡ／４ｃｍの正方形の形状となるようにハンカチーフ２０を折り畳んで衣服のポケットやハンドバッグ等に収納して携帯している。
【０００９】
そして、ハンカチーフ２０を使用する度に、先に説明したようにハンカチーフ２０を広げて、未使用面が外側に露出するように再び折り畳み直して携帯している。
【００１０】
ハンカチーフ２０を数回使用して、ハンカチーフ２０の表面側２０ａが全て既使用面になってしまったら、ハンカチーフ２０の使用者は図２３（ａ）〜（ｅ）に示したように、ハンカチーフ２０の裏面側２０ｂが外側に露出するようにハンカチーフ２０を折り畳み直してから衣服のポケットやハンドバッグ等に収納して、次回の使用に備えている。
【考案の概要】
【考案が解決しようとする課題】
【００１１】
以上説明したように、従来のハンカチーフ２０を使用する場合には、ハンカチーフ２０を使用する度毎にハンカチーフ２０を折り畳み直して未使用面を外側に露出させていた。
【００１２】
本考案の目的は、未使用面を手早く外側に露出させることができるハンカチーフを提供することにある。
【課題を解決するための手段】
【００１３】
以上の目的を達成するために、本考案は、吸水性を有する布によって構成された同一の長方形（正方形を含む）の形状の複数枚のハンカチーフ片からなるハンカチーフであって、前記複数枚のハンカチーフ片のそれぞれの各辺が一致するように重ね合わせた状態で、当該重ね合わされた４辺のうちの一辺のみが相互に固定されている綴じ辺部が形成されていることを特徴とするものである。ここで、前記複数枚のハンカチーフ片のそれぞれには、異なる図柄（意匠）が施されていてもよいし、また、前記複数枚のハンカチーフ片のそれぞれには、異なる図柄（意匠）が施され、且つ当該図柄（意匠）は１枚の前記ハンカチーフ片の表面側と裏面側とでも異なる図柄（意匠）であってもよい。
【００１４】
さらに、以上の手段において、前記長方形（正方形を含む）の形状の前記ハンカチーフ片の長辺と短辺の長さは、共に７．５ｃｍ〜１７．５ｃｍの範囲内の値に選ばれていてもよい。
【考案の効果】
【００１５】
本考案によれば、ハンカチーフを使用したときに、ハンカチーフの未使用面を手早く外側に露出させることができる。
【図面の簡単な説明】
【００１６】
【図１】本考案の実施例１の構成を示した構成図であり、（ａ）は平面図を示し、（ｂ）は分解斜視図を示している。
【図２】本考案の実施例１の使用方法の説明図である。
【図３】本考案の実施例１の使用方法の説明図である。
【図４】本考案の実施例１の使用方法の説明図である。
【図５】本考案の実施例１の使用方法の説明図である。
【図６】本考案の実施例１の構成の説明図である。
【図７】本考案の実施例１の構成の説明図である。
【図８】本考案の実施例１の構成の説明図である。
【図９】本考案の実施例１の構成の説明図である。
【図１０】本考案の実施例１の構成の説明図である。
【図１１】本考案の実施例１の構成の説明図である。
【図１２】本考案の実施例１の構成の説明図である。
【図１３】本考案の実施例１の構成の説明図である。
【図１４】本考案の実施例１の構成の説明図である。
【図１５】本考案の実施例１の構成の説明図である。
【図１６】従来のハンカチーフの使用方法の説明図である。
【図１７】従来のハンカチーフの使用方法の説明図である。
【図１８】従来のハンカチーフの使用方法の説明図である。
【図１９】従来のハンカチーフの使用方法の説明図である。
【図２０】従来のハンカチーフの使用方法の説明図である。
【図２１】従来のハンカチーフの構成を示した構成図であり、（ａ）は表面側から視た平面図を示し、（ｂ）は裏面側から視た平面図を示している。
【図２２】従来のハンカチーフの使用方法の説明図である。
【図２３】従来のハンカチーフの使用方法の説明図である。
【考案を実施するための形態】
【００１７】
以下、図面を用いて本考案の実施例について説明する。
【実施例１】
【００１８】
図１は、本考案の実施例１の構成を示した構成図であり、（ａ）は平面図、（ｂ）は分解斜視図である。
【００１９】
図１（ａ），（ｂ）に示したように、本考案の実施例１に係るハンカチーフ１０は、同一の長方形（正方形を含む）の形状の複数枚のハンカチーフ片１〜４によって構成されている。各ハンカチーフ片１〜４は、従来側と同様に吸水性を有する布によって構成されている。
【００２０】
この複数枚のハンカチーフ片１〜４は、それぞれの各辺が一致するように重ね合わされた状態で、その重ね合わされた４辺のうち一辺のみが相互に縫製等の手段によって固定されている。この固定されている一辺によって綴じ辺部１１は構成されている。
【００２１】
この綴じ辺部１１は、長方形（正方形を含む）の長辺側に形成してもよいし、短辺側に形成してもよい。
【００２２】
ここで、図２２（ａ）に示した従来のハンカチーフ２０の一辺の長さＡは、概ね３０ｃｍ〜７０ｃｍの範囲であり、従って使用者が携帯するためにこのハンカチーフ２０を折り畳んで図２２（ｅ）のような正方形の状態にしたときの一辺の長さＡ／４は７．５ｃｍ〜１７．５ｃｍの範囲となるので、図１に示した本考案の実施例１に係る長方形のハンカチーフ片１〜４の短辺（Ｂ）と長辺（Ｃ）との長さを、共に７．５ｃｍ〜１７．５ｃｍの範囲内に選んでおけば、使用者は、ポケットやハンドバッグ等の従来と同様の場所に本実施例１を収容することができる。
【００２３】
以上のように構成された本実施例１を手拭きに使用する場合には、図２（ａ）〜（ｃ）に示したように従来と同様に水栓Ｗを開いて水で手Ｈを洗った後、図３（ｄ）〜（ｆ）に示したように従来と同様に水栓Ｗと手Ｈとの間に本実施例１に係るハンカチーフ１０を介在させて水栓Ｗを閉じて水を止める。
【００２４】
その後、図４（ｇ）〜（ｊ）に示したように、ハンカチーフ片１を綴じ辺部１１を中心にして折り返して未使用面を外側に露出させてその未使用面で濡れた手を拭く。そして、手を拭いた後、図５（ｋ）〜（ｍ）に示したように、ハンカチーフ片２を綴じ辺部１１を中心にして折り返して未使用面を外側に露出させて次回の使用に備えた状態にして衣服のポケットやハンドバッグ等に収納する。
【００２５】
以上のように本実施例１によれば、ハンカチーフ１０の未使用面を手早く外側に露出させて使用することができる。
【００２６】
ここで、ハンカチーフ片１〜４に、図６〜図９に示したように、それぞれ異なる図柄（意匠）を施して、図１０に示すように本実施例１を構成しておけば、ハンカチーフ１０を使用する場合、既使用面と未使用面とを簡単に識別することができる。図６〜図１０において、１ａ〜４ａはハンカチーフ片１〜４の表面側を示し、１ｂ〜４ｂはハンカチーフ片１〜４の裏面側を示している。
【００２７】
さらに、ハンカチーフ片１〜４を構成する材料がタオル地のような厚手の材料で、１枚のハンカチーフ片の表面側と裏面側とで異なる図柄（意匠）を施すことができる材料である場合には、図１１〜図１４に示したように、それぞれのハンカチーフ片１〜４の表面側１ａ〜４ａと裏面側１ｂ〜４ｂとに異なる図柄（意匠）を施しておき、図１５に示すように本実施例１を構成しておけば、ハンカチーフ１０を使用する場合、既使用面と未使用面とをさらに容易に識別することができる。
【００２８】
なお、以上説明した本実施例１においては、ハンカチーフ１０は４枚のハンカチーフ片１〜４によって構成されているが、ハンカチーフ１０を構成するハンカチーフ片は４枚に限られるものではなく複数枚であれば何枚であってもよい。
【符号の説明】
【００２９】
１〜４    ハンカチーフ片
１ａ〜４ａ，２０ａ    表面側
１ｂ〜４ｂ，２０ｂ    裏面側
１０，２０    ハンカチーフ
１１    綴じ辺部
Ｈ      手
Ｗ      水栓
【図１】
0003231520.tif 000003
【図２】
0003231520.tif 000004
【図３】
0003231520.tif 000005
【図４】
0003231520.tif 000006
【図５】
0003231520.tif 000007
【図６】
0003231520.tif 000008
【図７】
0003231520.tif 000009
【図８】
0003231520.tif 000010
【図９】
0003231520.tif 000011
【図１０】
0003231520.tif 000012
【図１１】
0003231520.tif 000013
【図１２】
0003231520.tif 000014
【図１３】
0003231520.tif 000015
【図１４】
0003231520.tif 000016
【図１５】
0003231520.tif 000017
【図１６】
0003231520.tif 000018
【図１７】
0003231520.tif 000019
【図１８】
0003231520.tif 000020
【図１９】
0003231520.tif 000021
【図２０】
0003231520.tif 000022
【図２１】
0003231520.tif 000023
【図２２】
0003231520.tif 000024
【図２３】
0003231520.tif 000025